(57)【特許請求の範囲】
【請求項１】
監視用端末器及び制御用端末器を２線式の信号線を介して伝送処理装置に接続し、この伝送処理装置からは各端末器を個別に呼び出すアドレスデータを含む伝送信号を信号線に時分割多重で送出することによって監視用端末器及び制御用端末器を個別にアクセスし、伝送信号に同期して設定した信号返送期間に監視用端末器からの監視データを受信すると、監視データに基づいて制御データを作成し、監視データを発生した監視用端末器に対応した制御用端末器に対して制御データを上記伝送信号により伝送し、当該制御用端末器では受信した制御データにより負荷の動作を制御する遠隔監視制御システムに用いられるナイトライトであって、ランプと、前記ランプの点灯状態を制御する制御部と、伝送処理装置より信号線を介して送信される伝送信号からランプ及び制御部の動作電源を生成する電源部と、周囲の明るさを検出する明るさセンサと、設定された検知エリア内の人の存否を検出する人感センサと、伝送処理装置との間で信号線を介して伝送信号を送受信する伝送信号送受信部と、監視用端末器として動作する場合のアドレスデータが設定されるアドレス設定部とを備え、制御部は、明るさセンサの検出した明るさが所定の明るさよりも暗く、且つ、人感センサが人の存在を検出すると、ランプを点灯させるとともに、伝送信号送受信部の受信した伝送信号に含まれるアドレスデータがアドレスデータの設定値に一致すると、前記信号返送期間に明るさセンサ又は人感センサの内少なくとも何れか一方の検知信号を伝送信号送受信部から伝送処理装置に返送させることを特徴とするナイトライト。
【請求項２】
ワイヤレス信号を用いて各端末器にアドレスデータを設定するワイヤレス設定器から送信されたワイヤレス信号を受信するワイヤレス信号受信部を設け、制御部はワイヤレス信号受信部が受信したアドレスデータを自己のアドレスデータに設定することを特徴とする請求項１記載のナイトライト。
【発明の詳細な説明】
【０００１】
【発明の属する技術分野】
本発明は、ナイトライトに関するものである。
【０００２】
【従来の技術】
この種のナイトライトとしては、ランプと、周囲の明るさを検出する明るさセンサと、設定された検知エリア内の人の存否を検出する人感センサと、明るさセンサや人感センサの検知信号に基づいてランプの点灯状態を制御する制御部とを備え、明るさセンサの検出した明るさが所定の明るさよりも暗く、且つ、検知エリア内を人が通ると、制御部がランプを点灯させるものがあった。
【０００３】
【発明が解決しようとする課題】
上記構成のナイトライトは商用交流電源（ＡＣ１００Ｖ）を電源として動作するので、ナイトライトを設置する場所まで商用交流電源の配線工事を行わなければならないという問題があった。
本発明は上記問題点に鑑みて為されたものであり、その目的とするところは、商用交流電源の配線を不要にしたナイトライトを提供することにある。
【０００４】
【課題を解決するための手段】
上記目的を達成するために、請求項１の発明では、監視用端末器及び制御用端末器を２線式の信号線を介して伝送処理装置に接続し、この伝送処理装置からは各端末器を個別に呼び出すアドレスデータを含む伝送信号を信号線に時分割多重で送出することによって監視用端末器及び制御用端末器を個別にアクセスし、伝送信号に同期して設定した信号返送期間に監視用端末器からの監視データを受信すると、監視データに基づいて制御データを作成し、監視データを発生した監視用端末器に対応した制御用端末器に対して制御データを上記伝送信号により伝送し、当該制御用端末器では受信した制御データにより負荷の動作を制御する遠隔監視制御システムに用いられるナイトライトであって、ランプと、ランプの点灯状態を制御する制御部と、伝送処理装置より信号線を介して送信される伝送信号からランプや制御部の動作電源を生成する電源部と、周囲の明るさを検出する明るさセンサと、設定された検知エリア内の人の存否を検出する人感センサと、伝送処理装置との間で信号線を介して伝送信号を送受信する伝送信号送受信部と、監視用端末器として動作する場合のアドレスデータが設定されるアドレス設定部とを備え、制御部は、明るさセンサの検出した明るさが所定の明るさよりも暗く、且つ、人感センサが人の存在を検出すると、ランプを点灯させるとともに、伝送信号送受信部の受信した伝送信号に含まれるアドレスデータがアドレスデータの設定値に一致すると、前記信号返送期間に明るさセンサ又は人感センサの内少なくとも何れか一方の検知信号を伝送信号送受信部から伝送処理装置に返送させることを特徴とし、ナイトライトに電源を供給するための配線がＡＣ２４Ｖの弱電配線で済み、商用交流電源の配線を無くすことができる。そのうえ、検知エリア内を人が通ると自動的にランプを点灯させることができ、しかも周囲が十分明るい場合にはランプが点灯しないので、省エネを図ることができる。さらに、ナイトライトに設けられた明るさセンサや人感センサの検知信号を利用して、他の制御用端末器の照明負荷を制御することができる。
【０００８】
請求項２の発明では、請求項１の発明において、ワイヤレス信号を用いて各端末器にアドレスデータを設定するワイヤレス設定器から送信されたワイヤレス信号を受信するワイヤレス信号受信部を設け、制御部はワイヤレス信号受信部が受信したアドレスデータを自己のアドレスデータに設定しており、離れた場所からでもアドレスデータの設定が行えるので、アドレスデータの設定作業を容易に行うことができる。
【０００９】
【発明の実施の形態】
本発明の実施の形態を図面を参照して説明する。
（基本構成）
まず、本発明に係るナイトライトを用いる遠隔監視制御システムについて説明する。図９は遠隔監視制御システムの概略構成を示すもので、伝送処理装置１と、照明負荷Ｌ１，Ｌ２を制御する制御用端末器２ａと、共用部分の負荷（図示せず）を制御する制御用端末器２ｂと、スイッチＳ１〜Ｓ３を有する監視用端末器３ａ〜３ｃと、調光スイッチＳ４を有する監視用端末器３ｄと、熱線センサを有する監視用端末器３ｅと、昼光センサを有する監視用端末器３ｆと、パターン制御に用いるパターンデータの設定に用いるパターン設定スイッチ４と、パターンデータの設定やパターン制御を行うためのパターン制御ユニット５とが２線式の信号線６により接続されており、各端末器２ａ，２ｂ，３ａ〜３ｆ，４，５には固有のアドレスが割り当てられている。ここに、パターン制御とは、照明負荷を点灯させる場面に合わせて複数の照明負荷の点灯状態を予め設定しておき、対応するパターンスイッチを操作することによって、予め設定された点灯状態で複数の照明負荷を制御する制御方式をいう。また、ワイヤレス機能設定器７は、赤外線などの光信号からなるワイヤレス信号を用いて各端末器の機能を設定するためのものである。
【００１０】
この遠隔監視制御システムでは、伝送処理装置１から図９（ａ）に示すような形式を有した伝送信号Ｖｓを送出することにより、各端末器２ａ，２ｂ，３ａ〜３ｆ，４，５との間でデータを授受する。すなわち、伝送信号Ｖｓは、信号の送出開始を示すスタートパルスＳＴ、信号のモードを示すモードデータＭＤ、端末器２ａ，２ｂ，３ａ〜３ｆ，４，５を個別に認識するためのアドレスデータＡＤ、照明負荷Ｌ１，Ｌ２への制御内容を示す制御データＣＤ、伝送誤りを検出するチェックサムデータのようなエラー訂正符号ＣＳ、端末器２ａ，２ｂ，３ａ〜３ｆ，４，５からの返送期間を設定する信号返送期間ＷＴよりなる双極性（±２４Ｖ）の時分割多重信号であり、パルス幅変調によってデータが伝送されるようになっている〔図９（ｂ）参照〕。各端末器２ａ，２ｂ，３ａ〜３ｆ，４，５では、信号線６を介して受信された伝送信号ＶｓのアドレスデータＡＤに含まれるアドレスがあらかじめ設定されている自己のアドレスと一致したときに、その伝送信号Ｖｓの制御データＣＤを取り込むとともに、伝送信号Ｖｓの信号返送期間ＷＴに同期して監視データを電流モード信号（信号線６の線間を適当な低インピーダンスを介して短絡して送出される信号）として返送するようになっている。
【００１１】
一方、伝送処理装置１には、ダミー信号送信手段と、割込み処理手段とが設けられている。ダミー信号送信手段は、モードデータＭＤをダミーモードとしてアドレスデータＡＤをサイクリックに変えた伝送信号Ｖｓを常時送出する。また、割込み処理手段では、ダミーモードの伝送信号ＶｓのスタートパルスＳＴに同期して各端末器２ａ，２ｂ，３ａ〜３ｆ，４，５から図９（ｃ）に示すような割込み信号Ｖｉが発生したときに、各端末器２ａ，２ｂ，３ａ〜３ｆ，４，５をポーリングして割込み信号Ｖｉを発生した端末器のアドレスを検出して、該端末器に伝送信号Ｖｓを送出し、伝送信号Ｖｓに同期して設定された信号返送期間ＷＴに該端末器から監視データを返送させるようになっている。
【００１２】
また伝送処理装置１では、上述のようにして端末器３ａ〜３ｆ，５から返送された監視データを受け取ると、アドレスによる対応関係があらかじめ設定されている制御用端末器２ａ，２ｂへの制御データＣＤを監視データに基づいて作成し信号線６を介して時分割多重伝送する。すなわち、指定された制御用端末器２ａ，２ｂに接続されている照明負荷Ｌ１，Ｌ２が制御データＣＤに応じて点灯・消灯されたり、調光されたりするのである。ここに、各端末器２ａ，２ｂ，３ａ〜３ｆ，４，５の動作用の電源は、上記伝送信号Ｖｓを全波整流することによって得られている。また、調光制御には制御用端末器２ａ，２ｂとして調光制御の可能なものを用い、制御データにより調光のレベルを指示する。
【００１３】
以下に本発明に係るナイトライト１０の基本構成を図１乃至図３に基づいて説明する。ナイトライト１０は、図１に示すように、端子ｔ１，ｔ２に接続された信号線６を介して伝送処理装置１との間で伝送信号Ｖｓを送受信する伝送信号送受信部１１と、伝送処理装置１から信号線６を介して送信された伝送信号を整流して動作電源を生成する電源部１２と、伝送信号送受信部１１が受信する伝送信号Ｖｓに含まれる制御データに基づいてランプ１６を点灯／消灯させる制御信号を発生する例えばＣＰＵからなる制御部１５と、電源部１２から電源供給され制御部１５の制御信号に応じてランプ１６を点灯／消灯させる点灯回路部１７と、制御部１５の動作プログラムや演算データなどを記憶するＲＯＭ及びＲＡＭからなるメモリ１８と、赤外線などの光信号を用いて端末器のアドレスデータを設定する光アドレス設定器（図示せず）との間で光信号を送受信するワイヤレス信号受信部としての光信号送受信部１９とから構成される。
【００１４】
ナイトライト１０では、光アドレス設定器から光信号にて送信された制御用端末器としてのアドレスデータを光信号送受信部１９が受信し、制御部１５は、光信号送受信部１９が受信したアドレスデータを第１のアドレス設定部たるメモリ１８に記憶させることにより、ナイトライト１０に制御用端末器としてのアドレスデータを設定することができる。
【００１５】
ここで、伝送信号送受信部１１が受信した伝送信号Ｖｓに含まれるアドレスデータが制御用端末器としてのアドレスデータに一致すると、ナイトライト１０は制御用端末器として動作し、制御部１５は、この伝送信号Ｖｓに含まれる制御データに応じて、ランプ１６を点灯／消灯させる制御信号を発生し、この制御信号に基づいて点灯回路部１７がランプ１６を点灯／消灯させる。
【００１６】
上述のようにナイトライト１０では伝送信号Ｖｓを整流して動作電源を生成しているので、ナイトライト１０へ電源供給するための配線が弱電配線（ＡＣ２４Ｖ）で済み、ナイトライト１０への商用交流電源（ＡＣ１００Ｖ）の配線をなくすことができる。なお、ランプ１６の消費電流が大きく、信号線６から供給される電力を大量に消費するのを避けたい場合には、ランプ１６の点灯用にリモコントランス２０からＡＣ２４Ｖの電源供給を受けるようにしても良く、この場合でもナイトライト１０への配線がＡＣ２４Ｖの弱電配線で済むので、ＡＣ１００Ｖの配線が不要になる。
【００１７】
また、ナイトライト１０は伝送処理装置１から送信される伝送信号Ｖｓに応じてランプ１６を点灯／消灯させているので、ナイトライト１０をランプ１６を有する制御用端末器として利用することができ、ナイトライト１０と対応関係が設定された監視用端末器のスイッチ操作によりナイトライト１０のランプ１６を点灯／消灯させることができる。
【００１８】
ここで、図２及び図３に示すように、ナイトライト１０の器体２１は、両側面に埋込型の配線器具を埋込配線するための規格化された所謂２連モジュール用の取付枠３０に係止離脱自在に係止する係止手段（図示せず）が設けられており、取付枠３０を用いて壁面などの造営面に設けられた埋込ボックスに取り付けられるようになっている。図３（ａ）は器体２１を取り付けた取付枠３０にプレート枠３１と化粧プレート３２とを取り付けた状態を示しており、化粧プレート３２の開口から器体２１の前面が露出している。器体２１の内部には上記各部が形成された回路基板（図示せず）が納装され、器体２１の裏面には信号線６を接続するためのねじ端子２３が設けられている。器体２１の前面には開口２１ａが形成され、この開口２１ａを開閉自在に覆うようにして透光性のランプカバー２２が取り付けられている。ランプ１６は開口２１ａに臨むようにして器体２１の内部に配置され、ランプカバー２２によって覆われる器体２１の部位には光信号送受信部１９の透光窓１９ａが設けられており、この透光窓１９ａを介して光信号送受信部１９は光信号を送受信することができるようになっている。
【００１９】
（実施形態１）
本実施形態のナイトライト１０’のブロック図を図４に示す。尚、基本的な構成は上述した基本構成と同様であるので、同一の構成要素には同一の符号を付してその説明を省略する。このナイトライト１０’では、基本構成で説明したナイトライトにおいて、周囲の明るさを検出する明るさセンサ１３と、人体から放射される熱線を検出することにより設定された検知エリア内の人の存否を検出する熱線センサからなる人感センサ１４とを設けている。ここで、制御部１５は、明るさセンサ１３及び人感センサ１４の検知信号に基づいてランプ１６の点灯／消灯を制御しており、周囲の明るさが所定の明るさよりも暗く、且つ、人感センサ１４が人の存在を検出した場合に制御部１５はランプ１６を点灯させる制御信号を発生し、この制御信号に応じて点灯回路部１７がランプ１６を点灯させている。
【００２０】
ナイトライト１０’では、光アドレス設定器から光信号にて送信された監視用端末器としてのアドレスデータを光信号送受信部１９が受信し、制御部１５は、光信号送受信部１９が受信したアドレスデータを第２のアドレス設定部たるメモリ１８に記憶させることにより、ナイトライト１０’に監視用端末器としてのアドレスデータを設定することができる。
【００２１】
例えば、明るさセンサ１３が検知した周囲の明るさが所定の明るさよりも暗く又は明るくなったり、人感センサ１４が人の存在を検知すると、ナイトライト１０’は信号線６を介して伝送処理装置１に割込み信号Ｖｉを送出する。伝送処理装置１は割込み信号Ｖｉを受信すると、上述の処理によりナイトライト１０’が割込み信号Ｖｉを発生したことを検出し、ナイトライト１０’に監視データを要求する伝送信号Ｖｓを送出する。伝送信号送受信部１１が受信した伝送信号Ｖｓに含まれるアドレスデータが監視用端末器としてのアドレスデータに一致すると、ナイトライト１０’は監視用端末器として動作し、制御部１５は、この伝送信号Ｖｓに同期して設定された信号返送期間ＷＴに、明るさセンサ１３や人感センサ１４の検出信号を監視データとして伝送信号送受信部１１から伝送処理装置１へ返送させる。したがって、ナイトライト１０’を監視用端末器として利用することができ、ナイトライト１０’に設けられた明るさセンサ１３や人感センサ１４の検出信号を利用して、ナイトライト１０’と対応関係が設定された制御用端末器の照明負荷を点灯／消灯させることができる。
【００２２】
ナイトライト１０’は、図５及び図６に示すように、上述した基本構成のナイトライト１０と略同様の構造に形成されている。器体２１前面の図５中下側には明るさセンサ１３や人感センサ１４や透光窓１９ａが配設されている。また、器体２１前面の図５中上側にはランプカバー２２が開閉自在に取り付けられており、図示はしないがランプカバー２２に対向するようにしてランプ１６が器体２１の内部に配設されている。
【００２３】
図８は、上述した遠隔監視制御システムの使用状態を説明する図である。廊下４０の壁面の下部にはナイトライト１０，１０’が配設され、廊下４０の天井面には照明器具Ｌ３〜Ｌ６が配設される。居間４１の天井面には照明器具Ｌ９が配設される。また、トイレ４２の天井面には照明器具Ｌ７が、壁面の上部には換気扇Ｌ８がそれぞれ配設される。また、玄関４３付近の廊下４０の壁面には、廊下４０に配設された照明器具Ｌ３〜Ｌ６をオンオフさせるスイッチＳ１を有する監視用端末器３ａが配設され、トイレ４２付近の廊下４０の壁面にはトイレ４２に配設された照明器具Ｌ７及び換気扇Ｌ８をオンオフするスイッチＳ２を有する監視用端末器３ｂが配設され、居間４１の壁面には居間４１に設けられた照明器具Ｌ９をオンオフさせるスイッチＳ３を有する監視用端末器３ｃが配設されている。そして、照明器具Ｌ３〜Ｌ８及び換気扇Ｌ８を制御する制御用端末器２ａと、監視用端末器３ａ〜３ｃと、ナイトライト１０，１０’とは信号線６を介して伝送処理装置１に接続されている。
【００２４】
ナイトライト１０，１０’は上述した基本構成と同様に伝送処理装置１から信号線６を介して送信される伝送信号Ｖｓを整流して動作電源を生成しているので、ナイトライト１０，１０’へ電源供給するための配線はＡＣ２４Ｖの弱電配線で済み、商用交流電源の配線が不要になる。また、ナイトライト１０’は明るさセンサ１３及び人感センサ１４を備えており、ナイトライト１０’は明るさセンサ１３及び人感センサ１４の検知信号を監視データとして伝送処理装置１へ返送しているので、この検知信号を利用して廊下に配設された照明器具Ｌ３〜Ｌ６及びナイトライト１０の点灯状態をナイトライト１０’の点灯状態に合わせて統合的に制御することができる。
【００２５】
【発明の効果】
上述のように、請求項１の発明は、監視用端末器及び制御用端末器を２線式の信号線を介して伝送処理装置に接続し、この伝送処理装置からは各端末器を個別に呼び出すアドレスデータを含む伝送信号を信号線に時分割多重で送出することによって監視用端末器及び制御用端末器を個別にアクセスし、伝送信号に同期して設定した信号返送期間に監視用端末器からの監視データを受信すると、監視データに基づいて制御データを作成し、監視データを発生した監視用端末器に対応した制御用端末器に対して制御データを上記伝送信号により伝送し、当該制御用端末器では受信した制御データにより負荷の動作を制御する遠隔監視制御システムに用いられるナイトライトであって、ランプと、ランプの点灯状態を制御する制御部と、伝送処理装置より信号線を介して送信される伝送信号からランプや制御部の動作電源を生成する電源部と、周囲の明るさを検出する明るさセンサと、設定された検知エリア内の人の存否を検出する人感センサと、伝送処理装置との間で信号線を介して伝送信号を送受信する伝送信号送受信部と、監視用端末器として動作する場合のアドレスデータが設定されるアドレス設定部とを備え、制御部は、明るさセンサの検出した明るさが所定の明るさよりも暗く、且つ、人感センサが人の存在を検出すると、ランプを点灯させるとともに、伝送信号送受信部の受信した伝送信号に含まれるアドレスデータがアドレスデータの設定値に一致すると、前記信号返送期間に明るさセンサ又は人感センサの内少なくとも何れか一方の検知信号を伝送信号送受信部から伝送処理装置に返送させることを特徴とし、ナイトライトに電源を供給するための配線がＡＣ２４Ｖの弱電配線で済み、商用交流電源の配線を無くすことができるという効果がある。そのうえ、検知エリア内を人が通ると自動的にランプを点灯させることができ、しかも周囲が十分明るい場合にはランプが点灯しないので、省エネが図れるという効果がある。さらに、ナイトライトを監視用端末器として用いることができ、ナイトライトに設けられた明るさセンサや人感センサの検知信号を利用して、他の制御用端末器の照明負荷を制御できるという効果がある。
【００２９】
請求項２の発明は、ワイヤレス信号を用いて各端末器にアドレスデータを設定するワイヤレス設定器から送信されたワイヤレス信号を受信するワイヤレス信号受信部を設け、制御部はワイヤレス信号受信部が受信したアドレスデータを自己のアドレスデータに設定しており、離れた場所からでもアドレスデータの設定が行えるので、アドレスデータの設定作業を容易に行えるという効果がある。
【図面の簡単な説明】
【図１】  ナイトライトの基本構成を示すブロック図である。
【図２】  同上のナイトライトを示す外観斜視図である。
【図３】  同上のナイトライトを示し、（ａ）は正面図、（ｂ）は側面図、（ｃ）は裏面図である。
【図４】  実施形態１のナイトライトを示すブロック図である。
【図５】  同上のナイトライトを示す外観斜視図である。
【図６】  同上のナイトライトを示し、（ａ）は正面図、（ｂ）は側面図、（ｃ）は裏面図である。
【図７】  同上のナイトライトを用いる遠隔監視制御システムの概略構成図である。
【図８】  同上の使用例を説明する図である。
【図９】（ａ）〜（ｃ）は同上に用いる伝送信号の説明図である。
【符号の説明】
６  信号線
１０  ナイトライト
１２  電源部
【図１】
0003937566.tif 000002
【図２】
0003937566.tif 000003
【図３】
0003937566.tif 000004
【図４】
0003937566.tif 000005
【図５】
0003937566.tif 000006
【図６】
0003937566.tif 000007
【図７】
0003937566.tif 000008
【図８】
0003937566.tif 000009
【図９】
0003937566.tif 000010